(57)【要約】【課題】ノルマルヘキサン抽出物質の除去効率を向上する。【解決手段】排水浄化システムは、ノルマルヘキサン抽出物質を吸着する吸着材Ｋ、および、ノルマルヘキサン抽出物質を分解する微生物が収容された複数の処理水槽２１０と、複数の処理水槽２１０のうち、所定の吸着条件を満たす処理水槽２１０に、ノルマルヘキサン抽出物質が含まれる排水を流通させ、所定の切換条件を満たすと、当該処理水槽２１０への排水の流通を停止して、吸着条件を満たす他の処理水槽２１０に排水を流通させる制御部１９０と、を備える。【選択図】図２
2018176056.tif 000002
【特許請求の範囲】
【請求項１】
ノルマルヘキサン抽出物質を吸着する吸着材、および、前記ノルマルヘキサン抽出物質を分解する微生物が収容された複数の処理水槽と、
前記複数の処理水槽のうち、所定の吸着条件を満たす処理水槽に、前記ノルマルヘキサン抽出物質が含まれる排水を流通させ、所定の切換条件を満たすと、当該処理水槽への前記排水の流通を停止して、前記吸着条件を満たす他の処理水槽に前記排水を流通させる制御部と、
を備える排水浄化システム。
【請求項２】
前記切換条件は、前記排水を流通させている前記処理水槽に収容された前記吸着材の吸着率が所定値未満となることである請求項１に記載の排水浄化システム。
【請求項３】
前記切換条件は、前記排水を流通させている時間が所定時間に到達したことである請求項１に記載の排水浄化システム。
【請求項４】
前記吸着条件は、前記処理水槽への前記排水の流通が停止されてから所定の分解時間が経過したことである請求項１から３のいずれか１項に記載の排水浄化システム。
【請求項５】
前記処理水槽内における前記吸着材の下方に、少なくとも酸素を含むガスを供給する第１曝気部を備える請求項１から４のいずれか１項に記載の排水浄化システム。
【請求項６】
前記処理水槽内における前記吸着材の下方に、前記第１曝気部に加え、前記第１曝気部よりも大量のガスを供給する第２曝気部を備える請求項５に記載の排水浄化システム。
【請求項７】
前記吸着材は、多孔質樹脂で構成される請求項１から６のいずれか１項に記載の排水浄化システム。
【請求項８】
前記処理水槽の上部、または、前記処理水槽の上方に設けられた導入口を通じて排水を導入するポンプと、
一端が、前記処理水槽における前記導入口の下方に形成された排出口に接続され、他端が前記処理水槽の上端より下方に位置する配管と、
を含んで構成される排水流通部を備え、
前記制御部は、前記排水流通部を制御する請求項１から７のいずれか１項に記載の排水浄化システム。
【請求項９】
メタン発酵菌を収容し、前記処理水槽から排出された排水が導入されるメタン発酵槽を備える請求項１から８のいずれか１項に記載の排水浄化システム。
【発明の詳細な説明】
【技術分野】
【０００１】
本開示は、微生物によってノルマルヘキサン抽出物質を分解させる排水浄化システムに関する。
【背景技術】
【０００２】
従来、排水に含まれるノルマルヘキサン抽出物質を浄化する技術として、浮上分離、加圧浮上分離、凝集剤の添加、油吸着材による吸着が利用されている。ノルマルヘキサン抽出物質は、ノルマルヘキサン（ｎ−ヘキサン）によって抽出される不揮発性物質の総称であり、例えば、油や界面活性剤である。上記技術のうち、浮上分離は、エマルジョン化した油や、界面活性剤を除去することができない。加圧浮上分離は、分離物（スカム）の含水率が９８％程度と高く、分離物（廃棄物）が大量となってしまう。凝集剤の添加、および、油吸着材による吸着は、廃棄物が大量に生じてしまう。
【０００３】
そこで、ノルマルヘキサン抽出物質を分解する微生物を利用して排水を浄化することが考えられる。しかし、ノルマルヘキサン抽出物質を含む排水には、易分解性有機物（微生物によって相対的に分解されやすい有機物）が多く含まれている。このため、微生物による易分解性有機物の分解が優先され、ノルマルヘキサン抽出物質の分解に長時間を要するという問題があった。
【０００４】
そこで、微生物が収容された処理水槽内に複数の油吸着材を設置しておき、処理水槽内に排水を流通させる技術が開発されている（例えば、特許文献１）。特許文献１の技術は、ノルマルヘキサン抽出物質を油吸着材に吸着させ、吸着させたノルマルヘキサン抽出物質を微生物によって分解させる。
【先行技術文献】
【特許文献】
【０００５】
【特許文献１】特開２０００−３５０９８４号公報
【発明の概要】
【発明が解決しようとする課題】
【０００６】
上記特許文献１に記載されたような、ノルマルヘキサン抽出物質を吸着する吸着材、および、ノルマルヘキサン抽出物質を分解する微生物が収容された処理水槽を備える排水浄化システムにおいて、ノルマルヘキサン抽出物質の除去効率を向上させる技術の開発が希求されている。
【０００７】
本開示は、このような課題に鑑み、ノルマルヘキサン抽出物質の除去効率を向上することが可能な排水浄化システムを提供することを目的としている。
【課題を解決するための手段】
【０００８】
上記課題を解決するために、本開示の一態様に係る排水浄化システムは、ノルマルヘキサン抽出物質を吸着する吸着材、および、前記ノルマルヘキサン抽出物質を分解する微生物が収容された複数の処理水槽と、前記複数の処理水槽のうち、所定の吸着条件を満たす処理水槽に、前記ノルマルヘキサン抽出物質が含まれる排水を流通させ、所定の切換条件を満たすと、当該処理水槽への前記排水の流通を停止して、前記吸着条件を満たす他の処理水槽に前記排水を流通させる制御部と、を備える。
【０００９】
また、前記切換条件は、前記排水を流通させている前記処理水槽に収容された前記吸着材の吸着率が所定値未満となることであってもよい。
【００１０】
また、前記切換条件は、前記排水を流通させている時間が所定時間に到達したことであってもよい。
【００１１】
また、前記吸着条件は、前記処理水槽への前記排水の流通が停止されてから所定の分解時間が経過したことであってもよい。
【００１２】
また、前記処理水槽内における前記吸着材の下方に、少なくとも酸素を含むガスを供給する第１曝気部を備えてもよい。
【００１３】
また、前記処理水槽内における前記吸着材の下方に、前記第１曝気部に加え、前記第１曝気部よりも大量のガスを供給する第２曝気部を備えてもよい。
【００１４】
また、前記吸着材は、多孔質樹脂で構成されてもよい。
【００１５】
また、前記処理水槽の上部、または、前記処理水槽の上方に設けられた導入口を通じて排水を導入するポンプと、一端が、前記処理水槽における前記導入口の下方に形成された排出口に接続され、他端が前記処理水槽の上端より下方に位置する配管と、を含んで構成される排水流通部を備え、前記制御部は、前記排水流通部を制御してもよい。
【００１６】
また、メタン発酵菌を収容し、前記処理水槽から排出された排水が導入されるメタン発酵槽を備えてもよい。
【発明の効果】
【００１７】
本開示の排水浄化システムは、ノルマルヘキサン抽出物質の除去効率を向上させることが可能となる。
【図面の簡単な説明】
【００１８】
【図１】排水浄化システムを説明する図である。
【図２】油浄化装置を説明する図である。
【図３】制御部による浄化処理の流れを説明するフローチャートである。
【図４】図４（ａ）は、実施例および比較例の水質を説明する図である。図４（ｂ）は、実施例および比較例のメタンガスの発生量を説明する図である。
【発明を実施するための形態】
【００１９】
以下に添付図面を参照しながら、本開示の実施形態について詳細に説明する。実施形態に示す寸法、材料、その他具体的な数値等は、理解を容易とするための例示にすぎず、特に断る場合を除き、本開示を限定するものではない。なお、本明細書および図面において、実質的に同一の機能、構成を有する要素については、同一の符号を付することにより重複説明を省略する。また本開示に直接関係のない要素は図示を省略する。
【００２０】
（排水浄化システム１００）
図１は、排水浄化システム１００を説明する図である。図１中、液体の流れを実線の矢印で示し、気体の流れを破線の矢印で示す。図１に示すように、排水浄化システム１００は、油浄化装置１１０と、メタン発酵槽１２０とを含んで構成される。
【００２１】
油浄化装置１１０には、少なくともノルマルヘキサン抽出物質と、有機物とを含む排水（被処理水）が導入される。油浄化装置１１０は、排水中のノルマルヘキサン抽出物質を分解して、処理後水（ノルマルヘキサン抽出物質が除去された排水）を生成する。油浄化装置１１０によって生成された処理後水は、メタン発酵槽１２０に導入される。
【００２２】
メタン発酵槽１２０は、例えば、ＵＡＳＢ（Upflow Anaerobic Sludge Blanket）方式の装置である。メタン発酵槽１２０は、メタン発酵菌を収容しており、処理後水に含まれる有機物を分解して、メタンと浄化水（有機物が取り除かれた処理後水）とを生成する。メタン発酵槽１２０によって生成されたメタンは、後段の燃料利用設備に送出され、浄化水は、そのまま放流される、もしくは、仕上げ処理工程を経て放流される。
【００２３】
（油浄化装置１１０）
続いて、処理後水を生成する油浄化装置１１０について詳述する。図２は、油浄化装置１１０を説明する図である。図２に示すように、油浄化装置１１０は、複数（ここでは３）の処理ユニット１５０（図２中、１５０Ａ〜１５０Ｃで示す）と、排水流通部１６０と、第１曝気部１７０と、第２曝気部１８０と、制御部１９０とを含んで構成される。
【００２４】
処理ユニット１５０は、処理水槽２１０と、散気管２２０とを含んで構成される。処理水槽２１０は、排水、吸着材Ｋ、および、微生物を少なくとも収容する容器である。処理水槽２１０内には、鉛直方向と交差する方向（例えば、水平方向）に延在した、平板形状のスクリーン２１２が設けられている。スクリーン２１２の外縁は、処理水槽２１０の内面に接続されている。つまり、処理水槽２１０は、スクリーン２１２によって、上部領域２１０ａと、上部領域２１０ａの下方に位置する下部領域２１０ｂとに区画される。スクリーン２１２には、複数の孔が形成されている。スクリーン２１２に形成された孔は、吸着材Ｋより小さい。
【００２５】
吸着材Ｋは、上部領域２１０ａ（処理水槽２１０におけるスクリーン２１２の上方）に配される。つまり、スクリーン２１２は、下部領域２１０ｂへの吸着材Ｋの移動を規制する。吸着材Ｋは、多孔質樹脂で形成された立方体（キューブ）であり、ノルマルヘキサン抽出物質を吸着する。多孔質樹脂は、例えば、ポリウレタンエーテルフォームである。吸着材Ｋを多孔質樹脂で構成することにより、ノルマルヘキサン抽出物質を効率よく吸着することができる。
【００２６】
処理水槽２１０に収容される微生物は、ノルマルヘキサン抽出物質を分解する好気性微生物である。
【００２７】
散気管２２０は、下部領域２１０ｂ（処理水槽２１０におけるスクリーン２１２の下方）に配される。散気管２２０は、複数の孔が形成された管で構成される。散気管２２０には、後述する第１曝気部１７０と、第２曝気部１８０とが接続される。
【００２８】
排水流通部１６０は、処理水槽２１０内に排水を流通させる。本実施形態において、排水流通部１６０は、供給管１６２と、ポンプ１６４と、バルブ１６６ａ〜１６６ｃと、抜出管１６８とを含んで構成される。
【００２９】
供給管１６２は、一端が排水の供給源に接続され、他端が複数に分岐された配管である。供給管１６２の他端には、導入口１６２ａが形成されている。導入口１６２ａは、処理水槽２１０の上方に設けられ、処理水槽２１０に臨んで配される。
【００３０】
ポンプ１６４は、供給管１６２に設けられ、後述する制御部１９０によって駆動制御される。ポンプ１６４が駆動されることにより、排水が処理水槽２１０に導入される。
【００３１】
バルブ１６６ａ〜１６６ｃは、供給管１６２における分岐された箇所にそれぞれ設けられる。バルブ１６６ａ〜１６６ｃは、開閉弁で構成され、制御部１９０によって開閉制御される。
【００３２】
抜出管１６８は、一端が処理水槽２１０の底面に形成された排出口２１０ｃに接続され、他端が処理水槽２１０の上端より下方に位置する配管である。抜出管１６８は、鉛直方向から水平方向に屈曲した屈曲部１６８ａを有する。抜出管１６８には屈曲部１６８ａから鉛直上方に延在したエアー抜管１６８ｂが接続されている。エアー抜管１６８ｂは上端が大気開放されている。
【００３３】
したがって、ポンプ１６４によって導入された排水は、吸着材Ｋ、スクリーン２１２を通過して、排出口２１０ｃに到達する。つまり、排水は、処理水槽２１０内を下降流（上方から下方に向けた流れ）となって流れる。そして、排水は、吸着材Ｋを通過する過程で、吸着材Ｋに接触する。これにより、排水中のノルマルヘキサン抽出物質が吸着材Ｋに吸着される。このように、排水（もしくは処理後水）の流れを下降流とすることにより、上昇流とする場合と比較して、ノルマルヘキサン抽出物質の内の浮上しやすいものが処理水槽２１０から流出してしまう事態を回避することができる。
【００３４】
また、導入口１６２ａを通じて処理水槽２１０に連続して排水が導入されると、処理水槽２１０における排水の水位が、抜出管１６８における屈曲部１６８ａと実質的に等しい高さに維持された状態で、抜出管１６８を通じて、処理後水が排出される。このように、抜出管１６８を排出口２１０ｃに接続する構成により、処理水槽２１０の水位を維持したまま、処理水槽２１０に導入された排水と同量の処理後水を自動的に排出する（オーバーフローさせる）ことができる。
【００３５】
なお、排水流通部１６０による処理水槽２１０内の排水の滞留時間は、例えば、１時間未満（２０分程度）である。
【００３６】
第１曝気部１７０は、第１曝気管１７２と、ブロワ１７４とを含んで構成される。第１曝気管１７２は、一端が大気開放され、他端が複数に分岐された配管である。第１曝気管１７２の他端は、処理水槽２１０に収容された散気管２２０にそれぞれ接続される。
【００３７】
ブロワ１７４は、第１曝気管１７２に設けられ、制御部１９０によって駆動制御される。ブロワ１７４が駆動されることにより、散気管２２０を通じて、空気（酸素を含むガス）が下部領域２１０ｂに供給される。
【００３８】
第２曝気部１８０は、第２曝気管１８２と、ブロワ１８４と、バルブ１８６ａ〜１８６ｃとを含んで構成される。第２曝気管１８２は、一端が大気開放され、他端が複数に分岐された配管である。第２曝気管１８２の他端は、処理水槽２１０に収容された散気管２２０にそれぞれ接続される。
【００３９】
ブロワ１８４は、第２曝気管１８２に設けられ、制御部１９０によって駆動制御される。ブロワ１８４が駆動されることにより、散気管２２０を通じて、空気（ガス）が下部領域２１０ｂに供給される。なお、制御部１９０は、第１曝気部１７０によって供給される空気より大量の空気が処理水槽２１０に供給されるようにブロワ１８４を制御する。
【００４０】
バルブ１８６ａ〜１８６ｃは、第２曝気管１８２における分岐された箇所にそれぞれ設けられる。バルブ１８６ａ〜１８６ｃは、開閉弁で構成され、制御部１９０によって開閉制御される。
【００４１】
詳しくは後述するが、第２曝気部１８０を備える構成により、吸着材Ｋに吸着した有機物や微生物を吸着材Ｋから脱離させることができる。これにより、吸着材Ｋの吸着率を向上させることが可能となる。
【００４２】
制御部１９０は、ＣＰＵ（中央処理装置）を含む半導体集積回路で構成される。制御部１９０は、ＲＯＭからＣＰＵ自体を動作させるためのプログラムやパラメータ等を読み出し、ワークエリアとしてのＲＡＭや他の電子回路と協働して油浄化装置１１０全体を制御する。本実施形態において、制御部１９０は、ポンプ１６４、バルブ１６６ａ〜１６６ｃ、ブロワ１７４、１８４、バルブ１８６ａ〜１８６ｃを制御する。
【００４３】
図３は、制御部１９０による浄化処理の流れを説明するフローチャートである。制御部１９０は、初期状態において、ポンプ１６４、ブロワ１７４、１８４の駆動を停止し、バルブ１６６ａ〜１６６ｃ、および、バルブ１８６ａ〜１８６ｃを閉弁しておく。また、制御部１９０は、ユーザによって停止指示が入力された場合には、そのときに遂行している処理を停止する。
【００４４】
（処理ユニット決定処理Ｓ１１０）
制御部１９０は、複数の処理ユニット１５０のうち、１の処理ユニット１５０、例えば、処理ユニット１５０Ａを決定する。そして、制御部１９０は、ポンプ１６４を駆動させ、処理ユニット１５０Ａの処理水槽２１０に対応するバルブ１６６ａを開弁する。そうすると、排水が処理ユニット１５０Ａの処理水槽２１０内に導入され、処理水槽２１０内を排水が流通する。これにより、処理ユニット１５０Ａの処理水槽２１０において、排水中のノルマルヘキサン抽出物質が吸着材Ｋに吸着される吸着処理が実行される。
【００４５】
また、制御部１９０は、ブロワ１７４を駆動させる。これにより、処理水槽２１０内の排水が攪拌され、ノルマルヘキサン抽出物質と吸着材Ｋとの接触確率を向上させることができる。したがって、吸着材Ｋによるノルマルヘキサン抽出物質の吸着効率を向上させることが可能となる。
【００４６】
（切換条件判定処理Ｓ１２０）
制御部１９０は、排水を流通させている処理ユニット１５０の処理水槽２１０に対し、所定の切換条件を満たすか否かを判定する。その結果、制御部１９０は、切換条件を満たすと判定した場合、吸着条件判定処理Ｓ１３０に処理を移す。一方、制御部１９０は、切換条件を満たさないと判定した場合、当該切換条件判定処理Ｓ１２０を繰り返す。こうして、切換条件を満たすまで１の処理ユニット１５０（処理ユニット１５０Ａ）で吸着処理が維持される。
【００４７】
ここで、切換条件は、排水を流通させている時間（以下、「流通時間」と称する）、つまり、処理水槽２１０への排水の流通を開始してからの経過時間が所定時間に到達したことである。所定時間は、処理後水中のノルマルヘキサン抽出物質の濃度が所定の許容値まで到達する時間であり、予め実験によって導出される。また、許容値は、メタン発酵槽１２０のメタン発酵菌の活性を所定値以上に維持できるノルマルヘキサン抽出物質の上限値未満の所定の値である。
【００４８】
流通時間が長くなるに従って、吸着材Ｋの孔がノルマルヘキサン抽出物質等で埋まり、吸着材Ｋの吸着率が低下していく。このため、流通時間が長くなるに従って、処理後水中のノルマルヘキサン抽出物質の濃度が上昇していく。したがって、流通時間が所定時間に到達したことを切換条件とすることで、処理後水中のノルマルヘキサン抽出物質の濃度を許容値以下に抑えることができる。なお、所定時間に到達したときの吸着材Ｋの吸着率を第１所定値とする。
【００４９】
（吸着条件判定処理Ｓ１３０）
排水を流通させている処理ユニット１５０の処理水槽２１０が所定の切換条件を満たすと判定すると、制御部１９０は、現在排水を流通させている処理ユニット１５０以外で、所定の吸着条件を満たす処理水槽２１０を有する処理ユニット１５０があるか否かを判定する。その結果、制御部１９０は、吸着条件を満たす処理水槽２１０を有する処理ユニット１５０があると判定した場合、切換処理Ｓ１４０に処理を移す。一方、制御部１９０は、吸着条件を満たす処理水槽２１０を有する処理ユニット１５０がないと判定した場合、切換条件判定処理Ｓ１２０に処理を戻す。こうして、いずれかの処理水槽２１０が吸着条件を満たすようになるまで、１の処理ユニット１５０（処理ユニット１５０Ａ）で吸着処理が維持される。
【００５０】
ここで、吸着条件は、吸着材Ｋの吸着率が第１所定値を上回る第２所定値以上であることである。つまり、吸着条件を満たす処理水槽２１０は、切換条件を満たさない。換言すれば、切換条件を満たす処理水槽２１０は、吸着条件を満たさない。したがって、吸着条件を満たすと同時に切換条件を満たさなくなり、切換条件を満たすと同時に吸着条件を満たさなくなる。
【００５１】
（切換処理Ｓ１４０）
制御部１９０は、吸着条件を満たす処理水槽２１０を有する処理ユニット１５０のうち、１の処理ユニット１５０、例えば、処理ユニット１５０Ｂを決定する。そして、制御部１９０は、処理ユニット１５０Ｂの処理水槽２１０に対応するバルブ１６６ｂを開弁する。そうすると、排水が処理ユニット１５０Ｂの処理水槽２１０内に導入され、処理水槽２１０内を排水が流通する。これにより、処理ユニット１５０Ｂの処理水槽２１０において、排水中のノルマルヘキサン抽出物質が吸着材Ｋに吸着される吸着処理が実行される。こうして、いずれかの処理水槽２１０が吸着条件を満たすまで１の処理ユニット１５０（処理ユニット１５０Ｂ）で吸着処理が維持される。
【００５２】
このように、制御部１９０が、排水の流通先を、吸着条件を満たす処理水槽２１０を有する処理ユニット１５０に切り換えることで、排水からノルマルヘキサン抽出物質を連続的に除去することができる。
【００５３】
また、制御部１９０は、切換条件を満たした処理水槽２１０（現在排水を流通させている処理水槽２１０）に対応するバルブ１６６ａを閉弁し、処理ユニット１５０Ａの処理水槽２１０への排水の導入を停止させる停止処理を実行する。そうすると、処理ユニット１５０Ａの処理水槽２１０は、排水で満たされるものの、排水の流通は停止されることになる。
【００５４】
上記したように、処理水槽２１０は、ノルマルヘキサン抽出物質を分解する微生物を収容している。また、排水には、ノルマルヘキサン抽出物質を分解する微生物が含まれている。したがって、処理水槽２１０を排水で満たし、流通させずに放置するだけで、吸着材Ｋに吸着されたノルマルヘキサン抽出物質の微生物による分解（分解処理）が為されることになる。なお、分解処理が為されている間においても、ブロワ１７４は駆動されている。これにより、処理水槽２１０内の微生物が活性化され、ノルマルヘキサン抽出物質の分解を促進させることができる。
【００５５】
そして、分解処理の実行時間が経過するに従って、微生物によるノルマルヘキサン抽出物質の分解が進行する。したがって、例えば、停止処理が実行されてから（吸着処理が終了してから）、所定の分解時間が経過した処理ユニット１５０の処理水槽２１０は、吸着条件を満たすことになる。ここで、分解時間は、第１所定値まで低下した吸着材Ｋの吸着率が、微生物によるノルマルヘキサン抽出物質の分解によって第２所定値以上に戻るまでの時間である。
【００５６】
また、制御部１９０は、分解時間が経過した処理ユニット１５０、例えば、処理ユニット１５０Ａの処理水槽２１０に対応するバルブ１８６ａを開弁し、ブロワ１８４の駆動を開始する曝気処理を実行する。そして、ブロワ１８４の駆動を開始してから所定時間が経過した後、制御部１９０は、バルブ１８６ａを閉弁して、ブロワ１８４を停止する。
【００５７】
曝気処理を実行することにより、処理ユニット１５０Ａの処理水槽２１０内に大量のガスが供給され、吸着材Ｋに吸着した有機物や微生物を吸着材Ｋから脱離させることができる。したがって、吸着材Ｋの吸着率を第２所定値からさらに向上することが可能となる。
【００５８】
また、脱離させた有機物および微生物は、処理水槽２１０に設けられた不図示のドレン配管から抜き出され、停止処理が実行された（分解処理が開始された）処理水槽２１０に供給されるとよい。これにより、分解処理をより促進させることができる。なお、脱離させた有機物および微生物は廃棄されてもよい。
【００５９】
以上説明したように、本実施形態の排水浄化システム１００は、排水の流通先を、吸着率が低下した処理水槽２１０から吸着率が復活した処理水槽２１０に切り換える。つまり、１の処理水槽２１０において吸着処理と分解処理とを異なる時間帯で行う。また、複数の処理水槽２１０を用いて、吸着処理と分解処理とを並行して行う。したがって、微生物によるノルマルヘキサン抽出物質の分解が、吸着材Ｋによるノルマルヘキサン抽出物質の吸着より遅い場合であっても、ノルマルヘキサン抽出物質の流出を抑制しつつ、ノルマルヘキサン抽出物質の除去効率を向上させることができる。
【００６０】
（変形例）
上記実施形態において、流通時間が所定時間に到達したことを切換条件とする場合を例に挙げて説明した。しかし、排水を流通させている処理水槽２１０に収容された吸着材Ｋの吸着率が第１所定値（所定値）未満となったことを測定し、第１所定値未満となったことを切換条件としてもよい。
【００６１】
例えば、ノルマルヘキサン抽出物質が界面活性剤である場合、処理水槽２１０の水面の上方の所定の位置に泡センサを設置しておく。そして、制御部１９０は、泡センサが泡を検知したら吸着材Ｋの吸着率が第１所定値未満となったと判定する。ここで、所定の位置は、吸着材Ｋの吸着率が第１所定値となったときの泡の高さに対応する位置であり、予め実験によって導出される。
【００６２】
（実施例）
処理ユニット１５０を１つ備えた油浄化装置１１０を用いて排水を処理した処理後水（実施例）と、何らの処理も施さない排水（比較例）との水質を比較した。なお、実施例において、処理水槽２１０の有効容積は、１．５Ｌとし、滞留時間２０分として排水を流通させた。
【００６３】
図４は、実験結果を説明する図である。図４（ａ）は、実施例および比較例の水質を説明する図である。図４（ｂ）は、実施例および比較例のメタンガスの発生量を説明する図である。なお、図４（ａ）中、実施例を白色で示し、比較例を黒色で示す。
【００６４】
その結果、図４（ａ）に示すように、有機物全量の指標であるＣＯＤＣｒの濃度は、比較例が４０７０ｍｇ／Ｌであり、実施例が１８９０ｍｇ／Ｌであった（除去率５４％）。懸濁物質（ＳＳ：Suspended Substance）の濃度は、比較例が２３６０ｍｇ／Ｌであり、実施例は、２４７ｍｇ／Ｌであった（除去率９０％）。ノルマルヘキサン抽出物質の濃度は、比較例が１３８５ｍｇ／Ｌであり、実施例が１２９ｍｇ／Ｌであった（除去率９１％）。
【００６５】
以上の結果から、懸濁物質の除去率、および、ノルマルヘキサン抽出物質の除去率が、ＣＯＤＣｒの除去率より高いことが分かった。これにより、油浄化装置１１０は、懸濁物質およびノルマルヘキサン抽出物質を選択的に除去できることが確認された。
【００６６】
また、ＵＡＳＢ方式のメタン発酵槽１２０を用いて、メタン発酵処理を行った。１日から２１日までは比較例を導入してメタン発酵処理を行い、２２日（ｔ１）以降実施例を導入した。
【００６７】
その結果、図４（ｂ）に示すように、実施例では、比較例より、メタンガスの発生量が著しく増加することが分かった。上記図４（ａ）に示したように、実施例では、メタンガスの発生源となる懸濁物質が比較例より少ないが、メタンガスの発生量が比較例より多い。これは、メタン発酵菌の活性を阻害するノルマルヘキサン抽出物質が除去されたため、実施例では、メタン発酵槽１２０においてメタン発酵菌の活性が上がったからであると考えられる。以上の結果より、油浄化装置１１０でノルマルヘキサン抽出物質を除去した処理後水をメタン発酵槽１２０に導入することにより、効率よくメタンを製造できることが確認された。
【００６８】
以上、添付図面を参照しながら実施形態について説明したが、本開示は上記実施形態に限定されないことは言うまでもない。当業者であれば、特許請求の範囲に記載された範疇において、各種の変更例または修正例に想到し得ることは明らかであり、それらについても当然に本開示の技術的範囲に属するものと了解される。
【００６９】
例えば、上記実施形態において、排水浄化システム１００が、３つの処理水槽２１０を備える構成を例に挙げて説明した。しかし、排水浄化システム１００は、少なくとも２以上の処理水槽２１０を備えていればよい。
【００７０】
また、上記実施形態において、吸着材Ｋが多孔質樹脂で構成される場合を例に挙げて説明した。しかし、吸着材Ｋは、ノルマルヘキサン抽出物質を吸着できれば材質に限定はない。
【００７１】
また、上記実施形態において、吸着材Ｋがキューブ形状である場合を例に挙げて説明した。しかし、吸着材Ｋは、ノルマルヘキサン抽出物質を吸着できれば形状に限定はない。例えば、吸着材Ｋはシート形状であってもよい。
【００７２】
また、上記実施形態において、第１曝気部１７０が空気を供給する構成を例に挙げて説明した。しかし、第１曝気部１７０は、少なくとも酸素を含むガスを供給すればよい。また、第１曝気部１７０は必須の構成ではない。
【００７３】
また、上記実施形態において、第２曝気部１８０が空気を供給する構成を例に挙げて説明した。しかし、第２曝気部１８０は、少なくともガスを供給すればよい。また、第２曝気部１８０は必須の構成ではない。
【００７４】
また、上記実施形態において、排水浄化システム１００がメタン発酵槽１２０を備える構成を例に挙げて説明した。しかし、メタン発酵槽１２０は、必須の構成ではない。
【００７５】
また、上記実施形態において、吸着材Ｋの吸着率が第１所定値未満になったことを間接的に判定する構成を例に挙げて説明した。しかし、吸着材Ｋの吸着率が第１所定値未満になったことを直接判定し、切換条件としてもよい。
【産業上の利用可能性】
【００７６】
本開示は、微生物によってノルマルヘキサン抽出物質を分解させる排水浄化システムに利用することができる。
【符号の説明】
【００７７】
Ｋ  吸着材
１００  排水浄化システム
１６０  排水流通部
１６２ａ  導入口
１６４  ポンプ
１６８  抜出管（配管）
１７０  第１曝気部
１８０  第２曝気部
１９０  制御部
２１０  処理水槽
２１０ｃ  排出口
【図１】
2018176056.tif 000003
【図２】
2018176056.tif 000004
【図３】
2018176056.tif 000005
【図４】
2018176056.tif 000006